(57)【要約】      （修正有）【課題】蓄電池からの電力で駆動されるが、蓄電池による給電の不安定に配慮することはない上、軽便性・携帯性を備えて戸外での使用に最適な冷凍・冷蔵装置を提供する。【解決手段】その内部に収納空間１１１，１１２を有するボックス１と、外から太陽エネルギーを吸収して電力に変換するようにボックスに配置構成されている太陽エネルギー発電手段２と、前記太陽エネルギー発電手段から電力を受けて充電され、且つ給電をすることができるように収納空間内の一部に配置構成されている蓄電手段３と、蓄電手段からの給電により駆動されて収納空間内を低温にさせてから維持することができるようにボックスに配置構成されている冷却手段４とを備えている。【選択図】図１
0003137620.tif 000002
【実用新案登録請求の範囲】
【請求項１】
その内部に収納空間を有するボックスと、
外から太陽エネルギーを吸収して電力に変換するように前記ボックスに配置構成されている太陽エネルギー発電手段と、
前記太陽エネルギー発電手段から電力を受けて充電され、且つ給電をすることができるように前記収納空間内の一部に配置構成されている蓄電手段と、
前記蓄電手段からの給電により駆動されて前記収納空間内を低温にさせてから維持することができるように前記ボックスに配置構成されている冷却手段とを備えていることを特徴とする冷凍・冷蔵装置。
【請求項２】
前記冷却手段として、熱電冷却チップが使用されていることを特徴とする請求項１に記載の冷凍・冷蔵装置。
【請求項３】
前記熱電冷却チップは、冷却面と放熱面とを互いに反対面としたものである上、前記冷却面が前記収納空間内の雰囲気に、また、前記放熱面が前記収納空間外の外氣に晒されるように設けられていることを特徴とする請求項２に記載の冷凍・冷蔵装置。
【請求項４】
前記熱電冷却チップは、前記放熱面を接触面として前記ボックスの内周壁に貼ってある上、前記ボックスの周壁の前記熱電冷却チップと対応する箇所に、前記放熱面を前記収納空間外の外気に晒させる複数の通孔が開けてあることを特徴とする請求項３に記載の冷凍・冷蔵装置。
【請求項５】
前記収納空間内に、整流手段が前記蓄電手段からの直流給電を交流に転換できるように設置されていることを特徴とする請求項１乃至４に記載の冷凍・冷蔵装置。
【請求項６】
前記ボックスは、本体部と蓋部とからなっており、前記収納空間は前記本体部に設けられており、また、前記太陽エネルギー発電手段は前記蓋部に設けられていることを特徴とする請求項５に記載の冷凍・冷蔵装置。
【請求項７】
前記本体部の外表面に、
前記整流手段を介する交流給電を取り出す第1のコネクターと、
前記蓄電手段からの直流給電を直接に取り出す第２のコネクターと、
切換えにより前記第１のコネクターの交流給電を取り出すことを可能状態または不可能状態にするスイッチ手段とが、それぞれ突出するように設置されていることを特徴とする請求項６に記載の冷凍・冷蔵装置。
【請求項８】
前記本体部の外表面に、また、前記スイッチ手段の切換え操作によって点滅し、前記可能状態と前記不可能状態とを選択的に表示する指示ランプが設置されていることを特徴とする請求項７に記載の冷凍・冷蔵装置。
【請求項９】
前記本体部の外表面に、また、前記蓄電手段の電力の充分と不足を点滅で選択的に表示する電力表示ランプが設置されていることを特徴とする請求項８に記載の冷凍・冷蔵装置。
【請求項１０】
前記蓄電手段は、他の外部電源から外部電力を受けて充電されることができるように配置構成されており、
また、前記本体部の外表面に、前記外部電力を受けるためのコネクターが突出するように設置されていることを特徴とする請求項９に記載の冷凍・冷蔵装置。
【請求項１１】
前記太陽エネルギー発電手段は、前記蓋部の外表面に太陽エネルギーを吸収するための太陽エネルギーパネルが敷設されており、
また、前記蓋部の、該太陽エネルギーパネルが敷設されている部分は、該蓋部が前記本体部をカバーしたままで斜めに立ち上げられるように構成されていることを特徴とする請求項１０に記載の冷凍・冷蔵装置。
【請求項１２】
前記蓋部は、前記太陽エネルギーパネルがその外表面に敷設されている薄板体と、前記薄板体を嵌め込まれる窪みがその外表面に形成されている蓋本体とからなり、
また、前記薄板体は、その一端縁が前記蓋本体に回動自在に枢止されていて斜めに立ち上げられる上、その側縁には更にそれが立ち上げられた後、それをそのまま支持するためのリンク組が設置されていることを特徴とする請求項１０に記載の冷凍・冷蔵装置。
【考案の詳細な説明】
【技術分野】
【０００１】
本考案は、冷凍・冷蔵装置に関し、特に戸外での使用に最適な電気駆動式の携帯型冷凍・冷蔵装置に関する。
【背景技術】
【０００２】
従来、ピクニック、魚釣りなど戸外で作業または活動を行う時、食品や飲料、魚介類を好ましい鮮度または温度に保つために、簡易な保冷装置として断熱性を有するボックスを使用し、それに前記保冷対象と共に氷、保冷剤を入れて携帯する。
【０００３】
しかし、このような保冷装置の使用は、短時間で常温より低い温度を作るだけ、長時間の低温冷凍・冷蔵ができない。長時間の低温冷凍・冷蔵は、やはり電気駆動式が必要である。
【０００４】
しかし、電気駆動式の冷凍・冷蔵装置は、携帯型をモットーとされているものであっても、やはり給電手段として発電機または蓄電池を使用している。そのうち、発電機は、体積が嵩張っていてモットーの携帯型に相応しくないばかりでなく、燃料油の使用も環境保全へのアピールに応えられない。
【０００５】
そして、蓄電池の方は、発電機に比べて環境を汚染しないが、電力が切れると、商用電源のない戸外ではなにか途方もないので、通常は、給電の安定を図るために多数個を持って交換に備える。同じく携帯の意味を大いに損なう。
【考案の開示】
【考案が解決しようとする課題】
【０００６】
前記実状に鑑みて、考案者は、商用電源の他に太陽エネルギー発電をも充電源として利用できるなら、戸外での作業中または活動中にいつでも充電できて断電の虞れはないので、蓄電池を多数個持たなくてもよいこと、それに加えて、その太陽エネルギー発電手段と蓄電池とを冷凍・冷蔵装置に組合わせると、より一層手軽になり、携帯性が向上することを考え出した。
【０００７】
そこで、本考案は、蓄電池からの電力で駆動されるが、蓄電池による給電の不安定に配慮することはない上、軽便性・携帯性を備えて戸外での使用に最適な冷凍・冷蔵装置を提供しようとすることを目的とする。
【課題を解決するための手段】
【０００８】
前記目的を達成するために、本考案は、その内部に収納空間を有するボックスと、外から太陽エネルギーを吸収して電力に変換するように前記ボックスに配置構成されている太陽エネルギー発電手段と、前記太陽エネルギー発電手段から電力を受けて充電され、且つ給電をすることができるように前記収納空間内の一部に配置構成されている蓄電手段と、前記蓄電手段からの給電により駆動されて前記収納空間内を低温にさせてから維持することができるように前記ボックスに配置構成されている冷却手段とを備えていることを特徴とする冷凍・冷蔵装置を提供する。
【考案の効果】
【０００９】
前記構成の冷凍・冷蔵装置は、太陽エネルギー発電をも充電源として利用することができるので、戸外での作業中または活動中にいつでも充電されうるので、断電の虞れがなくて予備の蓄電手段や充電手段の用意が必要でないだけではなく、蓄電手段がボックスの収納空間内に設けられているため、その軽便性・携帯性が一層高まっている。
【考案を実施するための最良の形態】
【００１０】
以下、図面を参照しながら本考案にかかる冷凍・冷蔵装置の好適な実施形態の例を説明する。図１は、第１の実施形態例の冷凍・冷蔵装置の概略構成を示す斜視図である。図２は、該冷凍・冷蔵装置の概略回路図であり、この図は、交流の給電を可能とした状態を示している。図３は、該冷凍・冷蔵装置の概略回路図であり、この図は、交流の給電を不可能とした状態を示している。
【００１１】
図１に示すように、この冷凍・冷蔵装置は、大よそボックス１と、太陽エネルギー発電手段２と、蓄電手段３と、冷却手段４と、整流手段５とを備えていている。
【００１２】
ボックス１は、断熱材で作製された矩形の箱体であって、本体部１１と蓋部１２とからなっており、本体部１１の内部に収納空間を有し、該収納空間は、食品や飲料、魚介類を収納するための第１の収納空間１１１と、該第１の収納空間１１１と分離した第２の収納空間１１２とを備えている。
【００１３】
太陽エネルギー発電手段２は、外から太陽エネルギーを吸収して電力に変換するように蓋部１２に配置構成されている。この例において、太陽エネルギー発電手段２は、蓋部１２の外表面に敷設されていて半導体の光電効果を利用して太陽光を直接的に電力に変換させる太陽エネルギーパネル２０である。
【００１４】
蓄電手段３は、太陽エネルギー発電手段２から電力を受けて充電され、且つ給電をすることができるように第２の収納空間１１２内に配置構成されている。この蓄電手段３は、図１から図３に示すように、本体部１１の外表面にそれぞれ突出するように設置されている交流と直流の外部電力入力用コネクター３０、３１を介して、それぞれ他の交流外部電源８、直流外部電源９から交流と直流の外部電力を受けて充電されることができるように配置構成されている。図中における整流器３７は交流の外部電力入力用コネクター３０からの交流給電を直流に転換して蓄電手段３に充電のための給電をするものである。
【００１５】
更に、蓄電手段３としては、この例においてリチウム電池が使用されているが、放電した後、充電することによって繰り返し使用することができれば、他にニッケル水素電池、ニッケルカドミウム電池、炭素水素電池などが使用されてもよい。
【００１６】
冷却手段４は、蓄電手段３からの給電により駆動されて第１の収納空間１１１内を低温にさせてから維持することができるように第１の収納空間１１１内に配置構成されている。この例において、冷却手段４として、小型化のために、冷却面４１と放熱面４２とを互いに反対面とした熱電冷却チップ４０が使用されている。
【００１７】
熱電冷却チップ４０は、放熱面４２を接触面としてボックス１の内周壁に貼ってある上、冷却面４１が第１の収納空間１１１内の雰囲気に、また、放熱面４２が、ボックス１の周壁の該熱電冷却チップ４０と対応する箇所に開けてある複数の通孔１１３により第１の収納空間１１１外の外氣に晒されるように設けられている。
【００１８】
整流手段５は、蓄電手段３からの直流給電を交流に転換するように第２の収納空間１１２内に設置されている。
【００１９】
また、本体部１１の外表面に、第1のコネクター３２と、第２のコネクター３３と、スイッチ手段３４とがそれぞれ突出するように設置されている。
【００２０】
第1のコネクター３２は、整流手段５を介する交流給電を取り出すものであり、第２のコネクター３３は、蓄電手段３からの直流給電を直接に取り出すものである。これらのコネクター３２、３３は、ケーブルによりそれぞれ交流または直流の電力を利用して作動する他の電子機器に接続されて給電を行うことができる。
【００２１】
スイッチ手段３４は、切換えにより第１のコネクター３２の交流給電を取り出すことを可能状態または不可能状態にすることができる。
【００２２】
そして、本体部１１の外表面に、更に、蓄電手段３の電力の充分と不足を点滅で選択的に表示する電力表示ランプ３５と、スイッチ手段３４の切換え操作によって点滅し、前記可能状態と前記不可能状態とを選択的に表示す指示ランプ３６とも設置されている。
【００２３】
次に、第２の実施形態例の冷凍・冷蔵装置を説明する。図４は、該実施形態例の概略構成を示す斜視図である。この実施形態例の冷凍・冷蔵装置の構成は、ほぼ第１実施形態例と同じだが、その相違点は太陽エネルギー発電手段２Ａと蓋部１２Ａの構造にある。
【００２４】
即ち、蓋部１２Ａは、薄板体１２０Ａと蓋本体１２１Ａとからなっている。薄板体１２０Ａの外表面に太陽エネルギー発電手段２Ａの太陽エネルギーパネル２０Ａが敷設されており、蓋本体１２１Ａの外表面に薄板体１２０Ａを嵌め込まれる窪み１２２Ａが形成されている。
【００２５】
また、薄板体１２０Ａは、その一端縁が蓋本体１２１Ａに回動自在に枢止されていて斜めに立ち上げられる上、その側縁には更にそれが立ち上げられた後、それをそのまま支持するためのリンク組１２３Ａが設置されている。このリンク組１２３Ａにより、薄板体１２０Ａは、蓋本体１２１Ａが本体部１１Ａをカバーしたままで斜めに立ち上げられるので、日差しの角度によって日光をできるだけ大いに当たるように調整されうる。
【００２６】
以上、本考案の好適な実施形態例について説明したが、本考案は前記実施形態例に限定して狭義に解釈されるものではなく、本考案の思想の範囲内において種々の変形や変更が可能である。
【産業上の利用可能性】
【００２７】
以上、実施形態例で詳細に説明したように、本考案の冷凍・冷蔵装置は、戸外の作業中または活動中にいつでも充電できて断電の虞れはなくて予備の蓄電手段や充電手段の用意が必要でないだけではなく、蓄電手段がボックスの収納空間内に設けられているため、その軽便性・携帯性が一層高まっている。
【図面の簡単な説明】
【００２８】
【図１】第１の実施形態例の冷凍・冷蔵装置の概略構成を示す斜視図である。
【図２】該冷凍・冷蔵装置の概略回路図であり、この図は、交流の給電を可能とした状態を示している。
【図３】該冷凍・冷蔵装置の概略回路図であり、この図は、交流の給電を不可能とした状態を示している
【図４】第２の実施形態例の概略構成を示す斜視図である。
【符号の説明】
【００２９】
１            ボックス
１１          本体部
１１１        第１の収納空間
１１２        第２の収納空間
１１３        通孔
１２、１２Ａ  蓋部
１２０Ａ      薄板体
１２１Ａ      蓋本体
１２２Ａ      窪み
１２３Ａ      リンク組
２、２Ａ      太陽エネルギー発電手段
２０、２０Ａ  太陽エネルギーパネル
３            蓄電手段
３０          交流の外部電力入力用コネクター
３１          直流の外部電力入力用コネクター
３２          第1のコネクター
３３          第２のコネクター
３４          スイッチ手段
３５          電力表示ランプ
３６          指示ランプ
３７          整流器
４            冷却手段
４０          熱電冷却チップ
４１          冷却面
４２          放熱面
５            整流手段
８            交流外部電源
９            直流外部電源
【図１】
0003137620.tif 000003
【図２】
0003137620.tif 000004
【図３】
0003137620.tif 000005
【図４】
0003137620.tif 000006